(57)【要約】【課題】  樹脂製ハウジングに開閉弁機構、流調機構を簡単に装着できるようにして、組立てが容易で製品の歩留まりが高く、安価な流体ブローガンを提供すること。【解決手段】  流路となる貫通孔１３を有する小型ガン形状の樹脂製本体ハウジング１１と、前記本体ハウジング１１の引き金部に開閉弁機構２０を備えた流体ブローガン１０において、前記本体ハウジング１１の引き金部に第１空洞穴１７、前記引き金部と前記貫通孔１３の一端の噴射口との間に第２空洞穴１８が前記貫通孔１３に連通するようにそれぞれ形成され、前記第１空洞穴１７に前記開閉弁機構２０の組立体、前記第２空洞穴１８に流量を制御する流調機構４０がそれぞれ着脱自在に装着されていることを特徴とする流体ブローガン。【選択図】      図２
2005246356.tif 000002
【特許請求の範囲】
【請求項１】
流路を形成する貫通孔を有する小型ガン形状の本体ハウジングと、前記本体ハウジングの引き金部に開閉弁機構を備えた流体ブローガンにおいて、
前記本体ハウジングの引き金部に前記貫通孔と連通する第１空洞穴が形成され、前記第１空洞穴に前記開閉弁機構の組立体が装着されていることを特徴とする流体ブローガン。
【請求項２】
前記開閉弁機構の組立体は、筒状ガイド部材と、前記筒状ガイド部材の貫通孔に移動自在に挿通され先端部に弁体を有する弁体部材と、前記筒状ガイド部材の先端に装着された弾性材からなる環状パッキンとからなり、前記弁体と前記環状パッキンの開口部との間で流路の開閉が行なわれることを特徴とする請求項１記載の流体ブローガン。
【請求項３】
前記環状パッキンは、前記筒状ガイド部材の先端に装着されることを特徴とする請求項２記載の流体ブローガン。
【請求項４】
前記弁体部材の弁体は半球状に、また前記環状パッキンの開口部はすり鉢状に、それぞれ形成され、前記弁体の半球状面と前記環状パッキンのすり鉢状面との接離により流路の開閉が行なわれることを特徴とする請求項２記載の流体ブローガン。
【請求項５】
前記筒状ガイド部材の他端開口部は、非円形状に形成され、前記非円形状の開口部に前記弁体部材が挿通されて回り止めとなっていることを特徴とする請求項２記載の流体ブローガン。
【請求項６】
前記第１空洞穴は、前記貫通孔に連通する部分の開口が狭められ、前記第１空洞穴に前記開閉弁機構が装着されたとき、前記筒状ガイド部材の先端に装着された前記環状パッキンの先端部が前記開口壁に当接して位置決めされることを特徴とする請求項１又は２記載の流体ブローガン。
【請求項７】
流路を形成する貫通孔を有する小型ガン形状の本体ハウジングと、前記本体ハウジングの引き金部に開閉弁機構を備えた流体ブローガンにおいて、前記貫通孔の一端の噴射口と前記開閉弁機構との間に、前記貫通孔に連通する第２空洞穴が形成され、前記第２空洞穴に流量を制御する流調機構が装着されていることを特徴とする流体ブローガン。
【請求項８】
前記流調機構は、端部に調整弁が設けられた円筒状バルブからなり、前記円筒状バルブを前記第２空洞穴に差込み、前記円筒状バルブの差込み量及び回動位置を変更することにより、前記貫通孔の他端開口の開口面積を変更させて、流量を調整することを特徴とする請求項７記載の流体ブローガン。
【発明の詳細な説明】
【技術分野】
【０００１】
この発明は、液体或は気体等の流体をノズル口から噴射させる流体ブローガンに係り、詳しくは、樹脂製ハウジングに開閉弁機構、流調機構を簡単に装着できるようにした流体ブローガンに関する。
【背景技術】
【０００２】
流体ブローガンは、流体を引き金操作に応じてノズル口から流体を噴射させることができる構成を有している。（例えば、下記特許文献１参照。）。
図１１は、下記特許文献１に記載されているノズルガン装置１００を示す断面図である。このノズルガン装置１００は、流路を形成する通路１２２を有する小型ガン形状の本体ハウジングと、本体ハウジングの引き金部に設けられた開閉弁１２５と、開閉弁１２５を開位置にする引き金式レバー１３６とを備えている。開閉弁１２５は、弁室１２４に収容された開閉弁１２５と、押し棒１３２とから構成されている。
このうち開閉弁１２５は、弁座１２６と、ボール１２８と、ボール１２８を弁座１２６へ付勢する圧縮コイルばね１３０とからなり、これらの個々の部品は、それぞれ本体ハウジングの弁室１２４内に収容されている。
このノズルガン装置１００の使用は、作業者が引き金式レバー１３６をグリップ１１４の方へ引き寄せると、押し棒１３２が開閉弁１２５の圧縮コイルばね１３０の付勢力に抗して開閉弁１２５の方へ押込まれ、ボール１２８が弁座１２６から離れて、開閉弁１２５が開き、通路１２２が形成される。この通路１２２の形成により、ポンプからホースを介して入口１１８へ圧送された高圧流体は、通路１２２を経て出口１２０へ導かれ、先端のノズル口から噴出される。
【０００３】
ところが、このノズル装置では、弁室内に開閉弁機構を構成する個々の部品を挿入して、室内で開閉弁機構を組立てる構成となっているために、弁室を精工に加工する必要があり、弁室の形状に歪み等があると流体漏れが発生してしまう。また、押し棒１３２とプラグ１３４との間でも流体漏れ対策が必要になっている。
【０００４】
【特許文献１】特開平７−２７５７５２号公報（図１、［００１５］、［００１７］）
【発明の開示】
【発明が解決しようとする課題】
【０００５】
ところで、流体ブローガンは一般に液体あるいは気体の噴射を行う際に、その高い操作性から機械部品の洗浄等に使われる場合がある。機械部品の中でも、特に電気絶縁性を必要とされる電子部品や精密機械等の金属を嫌う場所での洗浄を行う際には、流体ブローガンが金属材で形成されていると、金属粉やイオンの発生等の問題から使用することができないため、合成樹脂など非金属材で形成された流体ブローガンが使用されている。
【０００６】
しかし、上記特許文献１のような流体ブローガンは、その本体ハウジングは、大方、金属材で形成されている。したがって、弁室の精工な加工は、金属材での加工は可能であるが、合成樹脂材による成型体では極めて困難となっている。すなわち、例えば弁室となる空洞穴は、ほぼ真円形状に形成しなければならないが、現在の成型技術では、合成樹脂材の真円形の成型は金型の精度及び合成樹脂材の性質から極めて困難である。また、それでも真円形の成型をしようとすると、高精度な金型が必要になり、このような金型は高価であり、この金型を使用した場合、製品コスト高に影響し高価な製品となってしまう。一方、通常の金型を用いて作製すると、大量の不良品が発生し、製品歩留まりが極めて悪くなってしまうという課題がある。
【０００７】
そこで、この発明は、上記課題を解決するためになされたもので、この発明の目的は、樹脂製ハウジングに開閉弁機構、流調機構を簡単に装着できるようにして、組立てが容易で製品の歩留まりが高く、安価な流体ブローガンを提供することにある。
【課題を解決するための手段】
【０００８】
本願の請求項１に係る流体ブローガンの発明は、流路を形成する貫通孔を有する小型ガン形状の樹脂製本体ハウジングと、前記本体ハウジングの引き金部に開閉弁機構を備えた流体ブローガンにおいて、
前記本体ハウジングの引き金部に前記貫通孔と連通する第１空洞穴が形成され、前記第１空洞穴に前記開閉弁機構の組立体が装着されていることを特徴とする。
【０００９】
本願の請求項２に係る発明は、請求項１に記載の流体ブローガンに係り、前記開閉弁機構の組立体は、筒状ガイド部材と、前記筒状ガイド部材の貫通孔に移動自在に挿通され先端部に弁体を有する弁体部材と、前記筒状ガイド部材の先端に装着された弾性材からなる環状パッキンとからなり、前記弁体と前記環状パッキンの開口部との間で流路の開閉が行なわれることを特徴とする。
【００１０】
本願の請求項３に係る発明は、請求項２に記載の流体ブローガンに係り、前記環状パッキンは、前記筒状ガイド部材の先端に装着されることを特徴とする。
【００１１】
本願の請求項４に係る発明は、請求項２に記載の流体ブローガンに係り、前記弁体部材の弁体は半球状に、また前記環状パッキンの開口部はすり鉢状に、それぞれ形成され、前記弁体の半球状面と前記環状パッキンのすり鉢状面との接離により流路の開閉が行なわれることを特徴とする。
【００１２】
本願の請求項５に係る発明は、請求項２に記載の流体ブローガンに係り、前記筒状ガイド部材の他端開口部は、非円形状に形成され、前記非円形状の開口部に前記弁体部材が挿通されて回り止めとなっていることを特徴とする。
【００１３】
本願の請求項６に係る発明は、請求項１又は２に記載の流体ブローガンに係り、前記第１空洞穴は、前記貫通孔に連通する部分の開口が狭められ、前記第１空洞穴に前記開閉弁機構が装着されたとき、前記筒状ガイド部材の先端に装着された前記環状パッキンの先端部が前記開口壁に当接して位置決めされることを特徴とする。
【００１４】
本願の請求項７に係る流体ブローガンの発明は、流路を形成する貫通孔を有する小型ガン形状の樹脂製本体ハウジングと、前記本体ハウジングの引き金部に開閉弁機構を備えた流体ブローガンにおいて、前記貫通孔の一端の噴射口と前記開閉弁機構との間に、前記貫通孔に連通する第２空洞穴が形成され、前記第２空洞穴に流量を制御する流調機構が装着されていることを特徴とする。
【００１５】
本願の請求項８に係る発明は、請求項７に記載の流体ブローガンに係り、前記流調機構は、端部に調整弁が設けられた円筒状バルブからなり、前記円筒状バルブを前記第２空洞穴に差込み、前記円筒状バルブの差込み量及び回動位置を変更することにより、前記貫通孔の他端開口の開口面積を変更させて、流量を調整することを特徴とする。
【発明の効果】
【００１６】
請求項１の発明によれば、開閉弁機構を本体ハウジングの第１空洞穴に組み込む前に、開閉弁機構を空洞穴の外で組立て、この組立体を第１空洞穴に装着するので、第１空洞穴の成型、開閉弁機構の組立て及び装着等が簡単になる。
すなわち、開閉弁機構を本体ハウジングと一体に成型すると、本体ハウジングを精工に成型しなければならず、一般に使用されている金型等で成型しようとすると、不良品が大量にでき歩留の悪化を起こす可能性があるが、本発明の請求項１に示すように、前記開閉弁機構を本体ハウジングと別体の組立体で構成し、本体ハウジングにはその開閉弁機構を取り付ける空洞穴を成型するだけであれば、空洞穴の形状が精工である必要はなく、Ｏ状リング等を使用すれば簡単に液漏れを起こさずに開閉弁機構と本体ハウジングの成型を行うことができ、歩留の良い流体ブローガンを得ることができるようになる。また、前記開閉弁機構の組立体を着脱自在に装着すれば補修の際の部材の交換も容易になる。
【００１７】
請求項２の発明によれば、開閉弁機構は、筒状ガイド部材と、弁体部材及び環状パッキンの組立体で構成できるので、少ない部品数で簡単に組立てることが可能になる。また、部品のうち、筒状ガイド部材と、弁体部材は比較的小さく、合成樹脂による成型も容易なため、本体ハウジングに弁構造を一体成型するのに比べて安価に製造することができるようになる。
【００１８】
請求項３の発明によれば、環状パッキンを着脱自在に装着することにより、該パッキンが使用時に消耗された場合も交換による補修が容易に行えるようになる。
【００１９】
請求項４の発明によれば、半球状面とすり鉢状面との接触時に、半球面の一部が常にすり鉢状面に接触するようになるので、流路の開閉が確実になる。
【００２０】
請求項５の発明によれば、流体ブローガンの使用中に、弁体部材に回動する力が働いても、回り止め機構により回動を阻止でき、弁体と環状パッキンとの距離を適正な距離に維持でき流路の開閉が確実になる。
【００２１】
請求項６の発明によれば、空洞穴内での開閉弁機構の位置決め固定が容易になり、さらに開口壁面との間の気密性も保たれる。
【００２２】
請求項７の発明によれば、流調機構を着脱自在に成型することにより流調機構を別体として成型できるので、合成樹脂による成型も容易に行うことができ、安価に製造できるようになる。更に、流調機構を第２空洞穴に着脱自在に装着すれば、流調機構の補修や交換が容易になる。
【００２３】
請求項８の発明によれば、流体の流量調整を簡単に行うことが可能になり、更にバルブの差込み量を変更させることにより、流量すなわち流路の断面積に対応して流調機構の設定が容易に行えるようになり、使い勝手が向上する。
【発明を実施するための最良の形態】
【００２４】
以下、本発明の好適な実施の形態を図面を参照しながら説明する。但し、以下に説明する実施形態は、本発明の技術思想を具体化するための流体ブローガンを例示するものであって、本発明をこれらに限定することを意図するものではなく、特許請求の範囲に含まれるその他の実施形態のものも等しく適用し得るものである。
【００２５】
図１は本発明の流体ブローガンの外観を示す側面図、図２は図１に記載の流体ブローガンの断面図、図３は図２に記載の開閉弁機構を拡大した拡大断面図、図４は図３の開閉弁機構を分解した分解断面図、図５は開閉弁機構を構成する環状パッキンと球状の弁体との接離動作を説明する断面図、図６は図３の開閉弁機構を構成する筒状ガイド部材と弁体部材との接続状態を説明する拡大斜視図である。
【実施例】
【００２６】
流体ブローガン１０は、図１、２に示すように、貫通孔１３を有する本体ハウジング１１と、この貫通孔１３に装着され流路を開閉する開閉弁機構２０と、この貫通孔１３に連通し貫通孔１３を流れる流体の流量を調節する流調機構４０と、開閉弁機構２０の開閉弁を開閉操作する操作レバー５０とを備えている。
【００２７】
本体ハウジング１１は、図１に示すように、全体がハンディガン（例えば、ピストル）に似た形状をなし、握り部Ｉと、引き金部IIと、銃砲部IIIとにそれぞれ相当する部分を有し、合成樹脂で一体成型される。
握り部Ｉに相当する部分は、片手で握れる大きさの握り部１２からなり、銃砲部IIに相当する部分は、筒状体１５からなり、引き金部IIは握り部Ｉと銃砲部IIIとの間に位置している。
貫通孔１３は、握り部Ｉ、引き金部II、及び銃砲部IIIをそれぞれ貫通している。すなわち、図２に示すように、握り部の貫通孔１３１は、握り部の底部１４から引き金部IIに向かってほぼ垂直方向に形成され、引き金部IIの貫通孔１３２はクランク状に折曲して形成され、また、銃砲部IIIの貫通孔１３３は開口１６へ向かってほぼ水平方向に形成されている。各貫通孔１３１、１３２、１３３は、それぞれ連通していて、圧縮空気或いは液体等の流路となる。
【００２８】
クランク状の貫通孔１３２には、途中に２個の分岐穴１７、１８が形成される。これらの分岐穴１７、１８も貫通孔１３に連通している。
各分岐穴１７、１８は、何れも所定の大きさ及び深さを有する空洞穴で形成され、一方の分岐穴の空洞穴１７には、開閉弁機構２０が、他の分岐穴の空洞穴１８には流調機構４０が装着される。各空洞穴１７、１８の入口開口部は、それぞれ本体ハウジングの外周壁面が突出し、環状突出部１１１、１１２が形成される。これらの環状突出部１１１、１１２には、その外周壁面に雄ネジが形成される。
【００２９】
空洞穴１７は、後述する開閉弁機構２０を構成する筒状ガイド部材２１が装着される大きさを有し、入口の開口１７１は、筒状ガイド部材２１の直径より若干大きく、奥部の開口１７２は、開口１７１より小さく形成される。開口１７２を筒状ガイド部材２１の直径より小さくすることにより、筒状ガイド部材２１が空洞穴１７に挿入されたとき、筒状ガイド部材２１の先端部が開口１７２の壁に当接して、固定され、位置決めされる。
貫通孔１３の入口部１３０には、その内周壁面に雌ネジが刻設されている。この入口部１３０には、接続具６０が螺合される。この接続具６０の他端には、ホース（図示省略）が接続され、このホースから圧縮空気、液体等の流体が供給される。
【００３０】
また、他の分岐穴１８は、空洞穴１７のほぼ中間部から垂直方向に延びた位置に形成される。この空洞穴１８は、途中で空洞穴１７及び貫通孔１３２に連通している。また、この空洞穴１８は貫通穴１３３にも連通している。
【００３１】
また、銃砲部IIIの銃口部、すなわち筒状体１５の先端開口部１６には、その外周壁１５１に段差が形成され先細にされ、この先細部に所定長さのノズル６１が装着される。
また、筒状体１５の頂部には、環体１５３が形成され、この環体１５３内に操作レバー５０を固定する軸体５１が挿入される溝１５４が設けられている。環体１５３を設けることにより、未使用の流体ブローガン１０をこの環体を利用して金具等に引っ掛けて置くことができる。
操作レバー５０は、一端が二股に分かれ、本体ハウジング１１の筒状体１５を挟んで先端部を環体１５３の位置まで差込み、軸体５１を操作レバー５０の先端部に設けられた孔に挿通して固定される。したがって、操作レバー５０は、軸体５１を基点にして回動され、操作レバー５０を握り部１２方向へ引くことにより、キャップ３６を押圧し開閉弁機構を作動させる。
【００３２】
開閉弁機構２０は、図３、４に示すように、貫通孔２２を有する筒状ガイド部材２１と、貫通孔２２に移動自在に挿通され先端部に弁体３０を有する弁体部材２６と、筒状ガイド部材２１の先端に装着される弾性材からなる環状パッキン２４とで構成され、うち筒状ガイド部材２１及び弁体部材２６は合成樹脂で形成される。
筒状ガイド部材２１は、図４（ａ）に示すように、所定の太さを有し細長な筒状体からなり、長手軸方向の中心部に弁体部材２６が移動自在に挿通される貫通孔２２が形成される。この貫通孔２２は、一端の開口２２１が非円形状、例えば楕円形に、他端の開口２２２は円形状に形成される。筒状ガイド部材２１には、長手軸方向と直交して開口２３１、２３２が形成される。各開口２３１、２３２は、筒状ガイド部材２１のほぼ中央部、またはこの中央部から他端の開口２２２へ若干寄った箇所に設けるのが好ましい。
したがって、この筒状ガイド部材２１が本体ハウジング１１の空洞穴１７に挿入されたとき、貫通孔１３１を通過してきた流体は、開口部２２２の貫通孔２２の各開口２３１、２３２を通り、貫通孔１３２、空洞穴１８を経て貫通孔１３３へ流れる。一端の開口２２１を非円形状にすることにより、この開口２２１は、後述する弁体部材２６が挿入されると回り止め機能を果たす。
【００３３】
筒状ガイド部材２１の両端部には、それぞれ外周方向へ突出したフランジ２１１、２１２が形成される。各フランジ２１１、２１２の外径は、本体ハウジングの空洞穴１７の直径より若干小さく、この空洞穴１７に筒状ガイド部材が押し込まれたとき、各フランジ部分が空洞穴１７及び貫通孔１３２の内周壁に当接する大きさになっている。
また、一方のフランジ２１１には、凹状溝２１０が形成され、この凹状溝２１０にＯ状リング６２が装着される。このＯ状リング６２により、筒状ガイド部材２１が空洞穴１７に押し込まれたときに流体の漏れを阻止できる。
また、筒状ガイド部材２１の端部には、環状パッキン２４が嵌め込まれる。この環状パッキン２４は筒状ガイド部材２１の端部に着脱自在に装着される。環状パッキン２４を装着し易くするために、筒状ガイド部材２１の端部に段差を設け先細形状にするのが好ましい。
【００３４】
環状パッキン２４は、図４（ｂ）に示すように、中心部に所定の大きさの穴を有し短長の筒状体からなり、ゴム材等の弾性を有する部材で形成される。その穴は、一端の穴口２５１から他方の穴口２５２に向けて、ほぼ中心部２５０までの直径が次第に小さくなるすり鉢状に形成される。穴口２５２は、筒状ガイド部材２１の端部の形状に合わせ窪みが形成される。
【００３５】
弁体部材２６は、図４（ｃ）に示すように、筒状ガイド部材２１より若干長く、且つほぼ円形丸棒で形成される。この弁体部材２６は、長手軸方向のほぼ中央部を境にして、外径が比較的太い部分２７（以下、胴部という。）と、外径が細い部分２８（以下、首部という。）とからなり、胴部２７の脚部２９に雄ネジが刻設され、また、首部２８の先端の頭部に弁体３０が形成される。
胴部２７は、非円形状の胴部２７１と円形状の胴部２７２とからなり、円形状の胴部２７２には、その外周壁に比較的幅広の２個の凹状溝２７０、２７０が形成される。各凹状溝２７０、２７０には、Ｙ字状のパッキンが装着される。このパッキンは、弁体部材２６が筒状ガイド部材２１に挿入されたとき、シールを確実にするために、Ｙの頭部が弁体３０の方向を向くように配設される。各凹状溝２７０、２７０は、隣接して首部２８に近い箇所に設けるのが好ましい。
非円形状の胴部２７１は、その外周壁が筒状ガイド部材２１の非円形状の開口２２１に挿通されるように非円形状、例えば楕円形状に形成される。したがって、図６に示すように、弁体部材２６の胴部２７１が筒状ガイド部材２１の非円形状の開口２２１に挿通されることによって、弁体部材２６の回転が規制されて、弁体部材２６の回り止めとなる。脚部２９は、キャップ３６と螺合される。
【００３６】
また、首部２８は、胴部２７と比べて外径が細く、しかも比較的長めに形成される。この首部２８は、筒状ガイド部材２１の貫通孔２２に挿入されたとき、貫通孔２２の内周壁面と首部２８の外周壁面との間の隙間に流路が形成される。したがって、首部２８の径を細くすれば、その隙間が大きくなり、大量の流体を流すことができるようになる。
【００３７】
弁体３０は、半球或いは駒形状に形成される。半球状の弁体３０は、球状体をほぼ中央部で分断したように、分断面に形成された平坦面３０１と、残りの球状面３０２とからなり、球状面３０２の頂部が弁体部材２６の首部２８に結合されている。平坦面３０１には、取付け工具を挿入できる凹状溝が設けられる。駒形状の弁体（図示省略）も半球状の弁体とほぼ同じ構造になっている。
流路の開閉は、この球状の弁体３０と環状パッキン２４との接離、すなわち、球状面とすり鉢状面との接離により行われる。すなわち、図５に示すように、図の点線状態から弁体３０が矢印方向へ移動されると、球状面３０２がすり鉢状の穴口２５１に接触する。この接触により、球状面３０２の一部、例えば符号３００、３００で示す箇所がすり鉢状の穴口２５１の一部、例えば符号２５０、２５０で示す箇所と、常に面又は線接触する。この面又は線接触は、使用中に接触箇所の位置が多少ずれても、球状面とすり鉢状面との間で維持されるので、弁体の開閉が確実になる。
【００３８】
装着ナット３２は、図４（ｄ）に示すように、一端の開口径が大きく他端の開口径が小さい筒状体３３からなり、大きい径の開口３４１は、本体ハウジング１１の環状突出部１１１の外径とほぼ同じ径で内周壁面に雌ネジが刻設され、本体ハウジング１１の環状突出部１１１の雄ネジと螺合され、小さい径の開口３４２は、弁体部材２６の胴部２７１より若干大きく形成され、弁体部材２６はこの開口３４２内で回動できるようになっている。また、この開口３４２の周囲に所定高さの環状突壁３３１が形成される。また、この環状突壁３３１と筒状体３３の外周壁３３２との間に環状溝３４３が形成され、この環状溝３４３にバネ部材３５の一端が挿入される。
バネ部材３５は、図４（ｅ）に示すように、コイル状スプリング体からなり、装着ナット３２とキャップ３６との間に挿入され、バネ弾性力により弁体部材２６の弁体３０が環状パッキン２４に所定の圧力で接触するようになっている。
【００３９】
キャップ３６は、一端が弁体部材２６に取付けられ、他端が操作レバー５０に当接し、操作レバー５０の作動により弁体部材２６を移動させる部材であって、その構成は、図４（ｆ）に示すように、底部に所定高さの環状突起３７が形成され、この環状突起３７とキャップ３６の外周壁との間に環状溝３７１が形成されている。また、環状突起３７の内部には、雌ネジが刻設され、弁体部材２６の雄ネジと螺合される。
【００４０】
開閉弁機構２０の組立ては、筒状ガイド部材２１の先端に環状パッキン２４を嵌合結合する。次いで、弁体部材２６を雄ネジが設けられた方向から、環状パッキン２４の開口へ挿入し、筒状ガイド部材２１の貫通孔２２内を挿通する。この挿通により、弁体部材の非円形に形成された胴部２７１が筒状ガイド部材２１の一方の開口２２１に挿入され弁体部材２６と筒状ガイド部材２１とが回り止めされる。次いで、胴部２７１に装着ナット３２を挿入し、更にバネ部材３５の一端を装着ナット３２の環状溝３４３に挿入すると共に、バネ部材３５の他端をキャップ３６の環状溝３７１に挿入し、バネ体３５を圧縮させて弁体部材２６端部の雄ネジをキャップ３６の環状突起３７内の雌ネジに螺合する。
この螺合は、筒状ガイド部材２１の回動又は弁体３０の端面に設けられた凹状溝内に工具を挿入して、弁体部材２６を回動して行う。
【００４１】
この組立てにより、本体ハウジング１１の空洞穴１７に装着する前に、開閉弁機構２０を組立てることができるので、組立てが極めて簡単になる。また、空洞穴１７への開閉弁機構２０の装着は、開閉弁機構２０の組立体を空洞穴１７へ挿入し、装着ナット３２を本体ハウジング１１の環状突出部１１１の雄ネジに螺合することによって行う。
この取付けにより、筒状ガイド部材２１の先端に装着された環状パッキン２４は、空洞穴１７の開口１７２の壁面に当接され位置決め固定される。また、使用中に、弁体部材２６には、筒状ガイド部材２１内で回動する力が働くが、弁体部材２６と筒状ガイド部材２１との間で回り止めがされているので、弁体部材２６の回動を阻止できる。したがって、弁体３０と環状パッキン２４との接触を良好に維持することができる。
【００４２】
次に、流調機構４０について説明する。図７は図２の流調機構を拡大した断面図、図８は流調機構を分解した断面図、図９は流調バルブと空洞穴との関係を拡大して示す斜視図である。なお、この図では空洞穴は本体ハウジングとの関係で筒状体として図示されている。図１０は流量調整を説明する説明図である。
流調機構４０は、図７、８に示すように、流量を調節する流調バルブ４１と、この流調バルブ４１を本体ハウジング１１に固定する流調ナット５５と、流調ツマミ５７とを備えている。
流調バルブ４１は、空洞穴１８に挿入できる大きさ及び長さを有する円形状の筒状体４２からなり、合成樹脂で形成される。
【００４３】
この筒状体４２は、図８（ｃ）に示すように、一端に調整弁４３、他端に流調ナット５５及び流調ツマミ５７が装着される取付部４５が設けられ、筒状体４２の内部は、一部が空洞４２０になっている。筒状体４２の一部を空洞にすることにより、筒状体４２が樹脂製である場合に筒状体４２の寸法精度の向上が計れ、空洞穴１８との機密性が保たれる。また、筒状体４２の長手方向のほぼ中央部には、外周壁面に凹状溝４２１が形成され、この凹状溝内にＯ状リング４６が装着される。
取付部４５は、筒状体４２の端部に２つの段差を経て直径が縮径され、直径が太い部分４５１に流調バルブ４１を固定する流調ナット５５が装着され、直径が細い部分４５２に流調ツマミ５７が装着される。直径が細い部分４５２は、流調ツマミ５７の装着が容易になるように、嵌め込み装着が可能な係止手段を用いることが好ましい。
【００４４】
流調ナット５５は、中央部に取付部４５１の直径より若干大きい開口５６を有し、内周壁面５５１に雌ネジが刻設され、本体ハウジング１１の環状突出部１１２の雄ネジと螺合される。
流調ツマミ５７は、中央部に流調バルブ４１の係止部が挿入される開口５８を有し、内周壁面が先端部と回り止めされて結合される。
【００４５】
調整弁４３は、図９に筒状体４２の端部を拡大して示すように、筒状体４２の端部付近を端部４２３から長手軸方向に長さＤ離れて、長手軸方向と直交した位置で筒状体４２の外周壁が長手軸方向に切除される。したがって、調整弁４３は切除され残った円形筒状体の外周壁で構成されるために圧力損失の少ない流量調整が可能となる。外周壁の面積は、少なくとも貫通孔１３３の開口１３３０を覆う大きさに形成される。例えば、筒状端部４２３の開口面積が二分の一乃至四分の三の部分で切除される。また、長さＤは開口の直径の１．５倍乃至それ以上の長さに設定される。
【００４６】
図１０は、調整弁の開閉状態を示している。
空洞穴１８に流調バルブ４１が差し込まれる。この差し込みにより、調整弁４３が貫通孔１３３の開口１３３０を塞ぎ、流調バルブ４１を回動させることにより流量調整を行う。図１０（ａ）は、調整弁４３で貫通孔の開口１３３０を閉塞している状態を示している。この状態では、調整弁４３が閉じられて流路が形成されない。この状態から、反時計方向へ９０度回動すると、開口１３３０はほぼ１／４だけ開き、この開いた隙間を通って流路が形成される。（図１０（ｂ）参照。）。この状態から、更に９０度反時計方向へ回動すると、開口１３３０は、ほぼ１／２開き、開口面積が大きくなることにより多くの流体を流すようになる。ちなみに、図９に示すように調整弁４３の長さをＤ、開口１３３０の直径をＷ、調整弁４３のうち、開口１３３０への流量を調整する部分をＸとすると、
Ｄ≧Ｗ≧Ｘ
の間で適宜選択して使用することが好ましい。
【００４７】
上記のように流調機構４０の調整弁４３は、開口１３３０を全開の状態としても開口１３３０を１／２まで（Ｘ＝１／２Ｗ）しか開けないようにすると良い。それは、開閉弁機構２０の弁操作により流路が形成された際に、貫通孔１３２の口径あるいは弁体３０と環状パッキン２４との隙間面積から、開口１３３０に流れ込む流量が少なくなり、すなわち開口１３３０の開口面積を全て使う程度の流体が供給されないために、一定の面積以上開口を大きくしても流量に変化が起きないようになっているので、開口１３３０を最大で１／２しか開けないようにすることにより、流量の微調整がより簡単に行うことができるようになる。ただし、流調ナット５５の取付位置を変動させ、流調バルブ４１を上下動させることにより、調整弁４３の調整可能な開口面積は適宜変更可能であり、開口１３３０に流れ込む流体の流量によって流調ナットの取付位置を調節して使用することもできる。
【図面の簡単な説明】
【００４８】
【図１】図１は本発明の流体ブローガンの外観を示す側面図、
【図２】図２は図１に記載の流体ブローガンの断面図、
【図３】図３は図２に記載の開閉弁機構を拡大した拡大断面図、
【図４】図４は図３の開閉弁機構を分解した分解断面図、
【図５】図５は開閉弁機構を構成する環状パッキンと球状の弁体との接離動作を説明する断面図、
【図６】図６は図３の開閉弁機構を構成する筒状ガイド部材と弁体部材との接続状態を説明する拡大斜視図、
【図７】図７は図２の流調機構を拡大した断面図、
【図８】図８は流調機構を分解した断面図、
【図９】図９は流調バルブと空洞穴との関係を拡大して示す斜視図、
【図１０】図１０は流量調整を説明する説明図、
【図１１】図１１は特許文献１に記載されているノズルガン装置を示す断面図。
【符号の説明】
【００４９】
１０          流体ブローガン
１１          本体ハウジング
１２          握り部
１３          貫通孔
１３３０        開口
１５          筒状体
１７、１８    分岐穴（空洞穴）
２１          筒状ガイド部材
２２          貫通孔
２３１、２３２  開口
２４          環状パッキン
２６          弁体部材
２７          胴部
２８          首部
２９          脚部
３０          弁体
３０２    球状面
３２          装着ナット
３３          筒状体
３４３、３７１  環状溝
３５          バネ部材
３６          キャップ
４０          流調機構
４１          流調バルブ
４２          筒状体
４３          調整弁
４５          取付部
４６、６２    Ｏ状リング
５０          操作レバー
５５          流調ナット
５７          流調ツマミ
【図１】
2005246356.tif 000003
【図２】
2005246356.tif 000004
【図３】
2005246356.tif 000005
【図４】
2005246356.tif 000006
【図５】
2005246356.tif 000007
【図６】
2005246356.tif 000008
【図７】
2005246356.tif 000009
【図８】
2005246356.tif 000010
【図９】
2005246356.tif 000011
【図１０】
2005246356.tif 000012
【図１１】
2005246356.tif 000013